(57)【要約】【課題】大きな衝撃吸収力を得ることによって、扉を開放したときの衝撃を吸収し、音や振動を制御し近隣との諍いを未然に防ぐことができる戸当たり装置を提供すること。【解決手段】床面Ｆに設けられる床側部材１と、扉Ｄに設けられる扉側部材２とからなり、床側部材１が、床面Ｆに取り付けられる床取付部材１３に配設される揺動軸１２を挟んで位置する第１の支持面１１ａ及び第２の支持面１１ｂ並びに揺動軸１２を対頂点とする傾斜面１１ｃとを備え、揺動軸１２を軸として揺動する揺動部材１１を備え、扉側部材２が、揺動部材１１の傾斜面１１ｃに沿って当接しながら移動する移動部材２１及びこの移動部材２１を傾斜面１１ｃに向けて付勢する付勢機構２２を備えてなる。【選択図】図１−１
2019143378.tif 000002
【特許請求の範囲】
【請求項１】
床面に設けられる床側部材と、扉に設けられる扉側部材とからなる戸当たり装置において、前記床側部材が、床面に取り付けられる床取付部材に配設される揺動軸を挟んで位置する第１の支持面及び第２の支持面並びに揺動軸を対頂点とする傾斜面とを備え、揺動軸を軸として揺動する揺動部材を備え、前記扉側部材が、揺動部材の傾斜面に沿って当接しながら移動する移動部材及び該移動部材を傾斜面に向けて付勢する付勢機構を備えてなることを特徴とする戸当たり装置。
【請求項２】
前記扉側部材が、扉が開放されたときに第１の支持面に当接する当接部材を備えてなることを特徴とする請求項１に記載の戸当たり装置。
【請求項３】
前記揺動部材の傾斜面が、移動部材が傾斜面に沿って移動する途中の位置で付勢機構による付勢力のピーク値が出現する形状を有してなることを特徴とする請求項１又は２に記載の戸当たり装置。
【発明の詳細な説明】
【技術分野】
【０００１】
本発明は、戸当たり装置に関するものである。
【背景技術】
【０００２】
従来、扉が必要以上に開放されて扉や扉に取り付けた取っ手が柱や壁に衝突するのを防ぐために、扉の最大許容開放位置に扉の開放を規制する戸当たりを床面に固定するようにしている（例えば、特許文献１〜２参照。）。
【０００３】
そして、戸当たりには、上記衝突を防ぐ機能に加え、衝撃を吸収するための部材や機構を設けるようにしていた。
【先行技術文献】
【特許文献】
【０００４】
【特許文献１】実開平５−８９７５８号公報
【特許文献２】実用新案登録第３１５６４５６号公報
【発明の概要】
【発明が解決しようとする課題】
【０００５】
ところで、従来の戸当たりは、衝撃を吸収するための部材や機構を設けるようにされているが、衝撃吸収力が小さく、このため、アパートやマンションでは隣室や上下階に音が響くという問題があった。
【０００６】
また、従来の戸当たりは、扉を開放状態で保持することができるように、戸当たりに止環等の係止手段を設け、この係止手段を用いて扉を係止できるようにしている。しかしながら、この止環等の係止手段による扉の係止操作及びその解除操作は、操作者が、腰を屈めて行う等の必要があるため、非常に操作が行いにくく、また、度々この操作を行う必要がある場合には、操作者に負担がかかるという問題点があった。
【０００７】
本発明は、上記従来の戸当たりの有する問題点に鑑み、大きな衝撃吸収力を得ることによって、扉を開放したときの衝撃を吸収し、音や振動を制御し近隣との諍いを未然に防ぐことができる戸当たり装置を提供することを第１の目的とする。
【０００８】
また、本発明は、扉を開放状態で保持する操作及びこの開放状態を解除する操作を、操作者が行う必要のない、操作がし易く、ユニバーサルデザイン（Ｕｎｉｖｅｒｓａｌ  Ｄｅｓｉｇｎ）化した戸当たり装置を提供することを第２の目的とする。
【課題を解決するための手段】
【０００９】
上記第１の目的を達成するため、本発明の戸当たり装置は、床面に設けられる床側部材と、扉に設けられる扉側部材とからなる戸当たり装置において、前記床側部材が、床面に取り付けられる床取付部材に配設される揺動軸を挟んで位置する第１の支持面及び第２の支持面並びに揺動軸を対頂点とする傾斜面とを備え、揺動軸を軸として揺動する揺動部材を備え、前記扉側部材が、揺動部材の傾斜面に沿って当接しながら移動する移動部材及び該移動部材を傾斜面に向けて付勢する付勢機構を備えてなることを特徴とする。
【００１０】
この場合において、前記扉側部材が、扉が開放されたときに第１の支持面に当接する当接部材を備えてなるようにすることができる。
【００１１】
さらに、上記第２の目的を達成するため、本発明の戸当たり装置は、前記揺動部材の傾斜面が、移動部材が傾斜面に沿って移動する途中の位置で付勢機構による付勢力のピーク値が出現する形状を有してなるようにすることができる。
【発明の効果】
【００１２】
本発明の戸当たり装置によれば、揺動部材の傾斜面に沿って、移動部材が当接しながら移動するときの負荷によって、扉の運動エネルギを吸収し、大きな衝撃吸収力を得ることによって、扉を開放したときの衝撃を吸収し、音や振動を制御し近隣との諍いを未然に防ぐことができる。
【００１３】
そして、扉側部材に、扉が開放されたときに第１の支持面に当接する当接部材を備えてなるようにすることによって、揺動部材が揺動することで起立状態となった第１の支持面に当接部材が当接することによって、扉を所定位置で停止させることができる。
【００１４】
さらに、揺動部材の傾斜面が、移動部材が傾斜面に沿って移動する途中の位置で付勢機構による付勢力のピーク値が出現する形状を有してなるようにすることによって、扉を開放状態で保持することができるとともに、扉に閉じる方向の力を加えるようにすることで、開放状態を解除することができ、扉を開放状態で保持する操作及びこの開放状態を解除する操作を、戸当たり装置を直接操作せずに行うことができ、操作がし易く、ユニバーサルデザイン（Ｕｎｉｖｅｒｓａｌ  Ｄｅｓｉｇｎ）化した戸当たり装置を提供することができる。
【図面の簡単な説明】
【００１５】
【図１−１】本発明の戸当たり装置の一実施例を示す扉が開く方向に移動し、移動部材が傾斜面に当接したときの説明図である。
【図１−２】同内部構造を示す説明図である。
【図１−３】同内部構造を示す斜視図である。
【図２−１】同扉が開く方向に移動し、移動部材が傾斜面の途中位置にあるときの説明図である。
【図２−２】同内部構造を示す説明図である。
【図２−３】同内部構造を示す斜視図である。
【図３−１】同扉が開放状態で保持されたときの説明図である。
【図３−２】同内部構造を示す説明図である。
【図３−３】同内部構造を示す斜視図である。
【発明を実施するための形態】
【００１６】
以下、本発明の戸当たり装置の実施の形態を、図面に基づいて説明する。
【００１７】
図１−１〜図３−３に、本発明の戸当たり装置の一実施例を示す。
この戸当たり装置は、戸当たり装置を、開き扉（開き戸）からなる扉Ｄに適用したもので、床面Ｆに設けられる床側部材１と、扉Ｄに設けられる扉側部材２とからなる戸当たり装置において、床側部材１が、床面Ｆに取り付けられる床取付部材１３に配設される揺動軸１２を挟んで位置する第１の支持面１１ａ及び第２の支持面１１ｂ並びに揺動軸１２を対頂点とする傾斜面１１ｃとを備え、揺動軸１２を軸として揺動する揺動部材１１を備え、扉側部材２が、揺動部材１１の傾斜面１１ｃに沿って当接しながら移動する移動部材２１及びこの移動部材２１を傾斜面１１ｃに向けて付勢する付勢機構２２を備えてなるようにしている。
【００１８】
床面Ｆに設けられる床側部材１は、床取付部材１３を床面Ｆにビス１４によって床面Ｆに取り付けるようにする。
【００１９】
床取付部材１３に配設される揺動軸１２を軸として揺動する揺動部材１１は、扉Ｄが開放位置以外の位置にあるとき（扉側部材２の移動部材２１が揺動部材１１の傾斜面１１ｃに当接していないとき）は、図１−１〜図１−３に示すように、揺動軸１２を挟んで略直角をなすように位置する第１の支持面１１ａ及び第２の支持面１１ｂのうちの第１の支持面１１ａが床取付部材１３に接地し、扉Ｄが開放位置にあるときは、図３−１〜図３−３に示すように、第２の支持面１１ｂが床取付部材１３に接地するようにされている。
【００２０】
揺動部材１１の揺動軸１２を対頂点とする傾斜面１１ｃは、扉側部材２の移動部材２１が傾斜面１１ｃに沿って移動する途中の位置で付勢機構２２による付勢力のピーク値が出現する形状、本実施例においては、略直角三角形状をなす揺動部材１１の斜辺を構成するようにするとともに、傾斜面１１ｃの第１の支持面１１ａ側は、移動部材２１が揺動部材１１の傾斜面１１ｃに当接するときに、面で当接するように、移動部材２１の表面形状に合わせた湾曲面に形成するようにしている。
【００２１】
ところで、本実施例においては、揺動部材１１には、揺動軸１２に沿って配設するねじりコイルばね（キックばね）（図示省略）の一端を係止する係止孔１１ｄを形成し（ここで、コイルばねの他端は、床取付部材１３に形成した突起部１３ａに係止するようにしている。）、このねじりコイルばねの付勢力によって常に右回りの回転力が揺動部材１１にかかるようにしている。
【００２２】
また、床取付部材１３には、揺動部材１１の第１の支持面１１ａと傾斜面１１ｃが接する先端部を係止する板ばね部材１５を配置し、この板ばね部材１５によって、ねじりコイルばねの付勢力によって常に右回りの回転力がかかる揺動部材１１を、図１−１〜図１−３に示す位置で保持されるようにしている。
【００２３】
なお、ねじりコイルばねの付勢力の方向を逆方向に設定し、床取付部材１３に揺動部材１１の第２の支持面１１ｂと傾斜面１１ｃが接する後端部を係止する板ばね部材（図示省略）を配置し、この板ばね部材によって、ねじりコイルばねの付勢力によって常に左回りの回転力がかかる揺動部材１１を、図３−１〜図３−３に示す位置で保持されるようにすることもできる。
【００２４】
扉Ｄに設けられる扉側部材２の移動部材２１は、揺動部材１１の傾斜面１１ｃに沿って当接しながら円滑に移動できるように、本実施例においては、ローラ部材を用いているが、すべり部材とすることもできる。
【００２５】
この移動部材２１を揺動部材１１の傾斜面１１ｃに向けて付勢する付勢機構２２は、ばね部材のほか、ばね部材とダンパ部材とを組み合わせたものを用いることができる。
【００２６】
また、扉側部材２には、扉Ｄが開放されたときに起立状態となる第１の支持面１１ａに当接する当接部材２３を備えてなるようにすることができる。
この当接部材２３には、緩衝機能を有する材質のものを用いることが好ましい。
【００２７】
次の、この戸当たり装置の動作について説明する。
【００２８】
図１−１〜図１−３に示すように、扉Ｄが開放位置以外の位置にあるとき（扉側部材２の移動部材２１が揺動部材１１の傾斜面１１ｃに当接していないとき）は、ねじりコイルばねの付勢力によって常に右回りの回転力がかかる揺動部材１１が、板ばね部材１５によって、揺動部材１１の第１の支持面１１ａが床取付部材１３に接地した位置で保持される。
【００２９】
この状態から、扉Ｄを開く方向に移動させると、扉側部材２の移動部材２１が揺動部材１１の傾斜面１１ｃに当たり、図２−１〜図２−３に示すように、揺動部材１１が揺動して、板ばね部材１５による揺動部材１１の保持状態が解除され、さらに、揺動部材１１の傾斜面１１ｃに沿って、移動部材２１が当接しながら移動する。このとき、移動部材２１を揺動部材１１の傾斜面１１ｃに向けて付勢する付勢機構２２の負荷、特に、移動する途中の位置で付勢機構２２による付勢力のピーク値が出現することによって、扉Ｄの運動エネルギを吸収し、大きな衝撃吸収力を得ることによって、扉Ｄを開放したときの衝撃を吸収し、音や振動を制御する。
【００３０】
そして、扉側部材２の移動部材２１が傾斜面１１ｃに沿って移動する途中の位置で付勢機構２２による付勢力のピーク値が出現した後、さらに、揺動部材１１が揺動して、図３−１〜図３−３に示すように、ねじりコイルばねの付勢力によって常に右回りの回転力がかかる揺動部材１１は、揺動部材１１の第２の支持面１１ｂが床取付部材１３に接地した位置で保持される。
【００３１】
このとき、扉側部材２に備えた当接部材２３が、扉Ｄが開放されたときに起立状態となる第１の支持面１１ａに当接することによって、扉Ｄを所定位置で停止させる。
【００３２】
この状態では、揺動部材１１の傾斜面１１ｃが、移動部材２１が傾斜面１１ｃに沿って移動する途中の位置で付勢機構２２による付勢力のピーク値が出現する形状を有しているため、揺動部材１１にねじりコイルばねの付勢力によって常に右回りの回転力がかかっていることと相俟って、扉Ｄを開放状態で安定して保持することができる。
【００３３】
そして、扉Ｄを閉じる方向に所定の大きさの力、具体的には、付勢機構２２による付勢力のピーク値とねじりコイルばねの付勢力とを加えた力以上の力を加えることで、扉Ｄの開放状態を解除することができる。
この場合、扉Ｄを閉じる方向に移動させると、揺動部材１１が揺動して、図２−１〜図２−３を経て、図１−１〜図１−３に示すように、揺動部材１１の第１の支持面１１ａが床取付部材１３に接地し、板ばね部材１５によって、その位置で保持される。
【００３４】
ここで、戸当たり装置の衝撃吸収力や扉Ｄを閉じるために要する力は、揺動部材１１の傾斜面１１ｃの形状、付勢機構２２及びねじりコイルばねに用いるばねのばね定数を適宜設定することにより、任意の大きさに設定することができる。
【００３５】
このように、扉Ｄを開放状態で保持する操作及びこの開放状態を解除する操作を、戸当たり装置を直接操作せずに行うことができ、操作がし易く、ユニバーサルデザイン（Ｕｎｉｖｅｒｓａｌ  Ｄｅｓｉｇｎ）化した戸当たり装置を提供することができる。
【００３６】
以上、本発明の戸当たり装置について、開き扉（開き戸）用の戸当たり装置の実施例に基づいて説明したが、本発明は上記実施例に記載した構成に限定されるものではなく、例えば、引き扉（引き戸）用の戸当たり装置としても用いることができる等、その趣旨を逸脱しない範囲において適宜その構成を変更することができるものである。
【産業上の利用可能性】
【００３７】
本発明の戸当たり装置は、大きな衝撃吸収力を得ることによって、扉を開放したときの衝撃を吸収し、音や振動を制御し近隣との諍いを未然に防ぐことができ、また、扉を開放状態で保持する操作及びこの開放状態を解除する操作を、操作者が行う必要のない、操作がし易く、ユニバーサルデザイン（Ｕｎｉｖｅｒｓａｌ  Ｄｅｓｉｇｎ）化したものであることから、アパートやマンションの開き扉用の戸当たり装置の用途に好適に用いることができるほか、各種扉用の戸当たり装置の用途にも用いることができる。
【符号の説明】
【００３８】
１  床側部材
１１  揺動部材
１１ａ  第１の支持面
１１ｂ  第２の支持面
１１ｃ  傾斜面
１１ｄ  係止孔
１２  揺動軸
１３  床取付部材
１３ａ  突起部
１４  ビス
１５  板ばね部材
２  扉側部材
２１  移動部材
２２  付勢機構
２３  当接部材
Ｄ  扉
Ｆ  床面
【図１−１】
2019143378.tif 000003
【図１−２】
2019143378.tif 000004
【図１−３】
2019143378.tif 000005
【図２−１】
2019143378.tif 000006
【図２−２】
2019143378.tif 000007
【図２−３】
2019143378.tif 000008
【図３−１】
2019143378.tif 000009
【図３−２】
2019143378.tif 000010
【図３−３】
2019143378.tif 000011